【事件の表示】
　平成５年特許願第２９７０２２号「コンピュータ断層撮影装置」拒絶査定不服審判事件〔平成７年６月１３日出願公開、特開平７−１４８１５５〕について、次のとおり審決する。
【結　論】
　本件審判の請求は、成り立たない。
【理　由】
［１］経緯・本件発明
　本件は、平成５年１１月２６日の出願であって、その請求項１から４に係る発明は、手続補正書により補正された明細書および図面の記載からみて、特許請求の範囲の請求項１から４に記載されたとおりのものと認められるところ、請求項１は次のとおりである。（以下、請求項１に係る発明を「本件発明」という）
「被検体を放射線でスキャンして再構成画像を得るコンピュータ断層撮影装置において、
　造影剤注入前にスキャンして得られた所定のスライス位置の断層像を基準画像として記憶する記憶手段と、
　前記被検体への造影剤の注入後連続してスキャンする造影後スキャンにより得られた投影データに基づいて、１枚の断層像を再構成するのに必要な範囲の前記造影後スキャン時間と同じ又は短時間で前記所定スライス位置の断層像を再構成し、これを繰り返して造影後の断層像を各々対応するスキャンから一定時間後に連続的に得る再構成手段と、
　この再構成手段により連続的に得られた造影後の断層像と前記基準画像との差分画像を求め、差分画像を連続的に得る演算手段とを具備することを特徴とするコンピュータ断層撮影装置。」
　
［２］原査定の拒絶の理由に引用された刊行物に記載された事項
刊行物１；特開昭６０−２４８２２号公報
「従来のダイナミックスキャンでは、第１図に示すように、被検体の所定部位における造影剤の経時的濃度変化に対する時間軸方向の解析（ダイナミックスタデイ）に用いられる相対画像データＰ'（ｔｋ）（ただし、ｋ＝１、２、………、ｎ）を得るために、Ｘ線検出系より出力される検出データをＡ／Ｄ変換し・・・プロジェクションデータに画像再構成処理を行ない、絶対画像Ｐ（ｔｋ）（ただし、ｋ＝０、１、２、………、ｎ）を得る。なお、ここで、Ｐ（ｔ０）は、被検体内の所定部位に未だ造影剤が到達していないときの被検体の断層像のデータであり、Ｐ（ｔ１）、Ｐ（ｔ２）、……は、被検体内の所定部位に造影剤が到達し、造影剤濃度が経時的に変化するときの被検体の断層像（造影像）のデータである。次いで、造影像データＰ（ｔ１）、Ｐ（ｔ２）、……Ｐ（ｔｎ）から断層像データＰ（ｔ０）を差し引くことにより、一連の相対画像データＰ'（ｔｋ）を得る。」（１頁右下欄９行−２頁左上欄９行）
　
［３］刊行物２；特開昭６３−５７０３６号公報
「従来においてＣＴスキャナーを用いて被検体の所定部位をダイナミックスキャンすることによって、時間軸に沿った複数の断層像を撮影し連続的にデイスプレイに表示させるようにしたＣＴスキャナー表示装置が知られている。・・・しかしながら従来の装置においてはデイスプレイに表示される画像は時々刻々変化する部位の現在における状態がリアルタイムで表示されるだけであり、刻々変化する各画像間の変化量を知ることはできない。このため有効な診断情報が得られない。」（１頁右下欄４−１７行）　
「第２図（ａ）のように時間軸ｔに沿って時刻ｔ０、ｔ１、ｔ２、ｔ３…ｔｎの所定間隔でダイナミックスキャンして連続的に撮影した複数の断層像Ａ０、Ａ１、Ａ２、Ａ３…Ａｎを用意し、画像収納部２からバッファ部３にメモリする。・・・第２図（ｂ）のようにサブトラクション演算部４によって基準画像Ａ０と他の画像・・との比較、サブトラクションを順次行う。
　・・・
　従って被検体の所定部位例えば臓器内の時間的変化をリアルタイムで観察することができる。また注入された造影剤の進路の変化を輪郭情報としてリアルタイムで得ることができる。よって画像間の時間的変化量を有効な診断情報として活用することができる。」（２頁左下欄５行−右下欄８行）
　
［４］対比・判断
　刊行物１に記載された従来のダイナミックスキャンを行うコンピュータ断層撮影装置（以下、「刊行物１に記載された発明」という。）におけるＰ（ｔ０）は、「造影剤注入前にスキャンして得られた所定のスライス位置の断層像」であり、造影剤注入後の断層像であるＰ（ｔ１）、Ｐ（ｔ２）、……Ｐ（ｔｎ）から断層像データＰ（ｔ０）を差し引くことにより、一連の相対画像データＰ'（ｔｋ）を得ることは、「再構成手段により連続的に得られた造影後の断層像と前記基準画像との差分画像を求め、差分画像を連続的に得る演算手段」であるから、刊行物１に記載された発明と本件発明とは、
「被検体を放射線でスキャンして再構成画像を得るコンピュータ断層撮影装置において、
　造影剤注入前にスキャンして得られた所定のスライス位置の断層像を基準画像として記憶する記憶手段と、
　前記被検体への造影剤の注入後連続してスキャンする造影後スキャンにより得られた投影データに基づいて、前記所定スライス位置の断層像を再構成し、これを繰り返して造影後の断層像を各々対応するスキャンから得る再構成手段と、
　この再構成手段により連続的に得られた造影後の断層像と前記基準画像との差分画像を求め、差分画像を連続的に得る演算手段とを具備することを特徴とするコンピュータ断層撮影装置。」
で一致し、次の点で相違する。
　
相違点；
　造影後スキャンにより得られた投影データから断層像を得るための再構成手段が、本件発明では、「投影データに基づいて、１枚の断層像を再構成するのに必要な範囲の前記造影後スキャン時間と同じ又は短時間で前記所定スライス位置の断層像を再構成し、これを繰り返して造影後の断層像を各々対応するスキャンから一定時間後に連続的に得る再構成手段」であるのに対し、刊行物１に記載された発明では、「投影データに基づいて、前記所定スライス位置の断層像を再構成し、これを繰り返して造影後の断層像を各々対応するスキャンから得る再構成手段」である点。
　
　相違点について検討するに、
　原査定の備考で「スキャン時間以下の時間で断層像を再構成することは、周知・慣用の技術事項（例えば、「ＣＴスキャナ−Ｘ線コンピュータ断層撮影装置−」（昭５７−１２−２０）コロナ社　ｐ．１３６−１３７，新医療、２０［１０］（１９９３−１０−１）ｐ．９８−９９等参照）にすぎず」と指摘され、刊行物２に「デイスプレイに表示される画像は時々刻々変化する部位の現在における状態がリアルタイムで表示される」（１頁右下欄１２−１４行）と記載されているように、撮影時間や再構成演算時間を短縮したコンピュータ断層撮影装置においては断層像を連続的にリアルタイム表示できることは周知のことであり、このことは、特開平４−２６６７４４号公報、特開平５−８４２３６号公報、特開平４−３０３４３１号公報などの周知例の次の記載からも認められることである。
　
周知例１（特開平４−２６６７４４号公報）
「【０００５】従来のＸ線ＣＴ装置において、連続回転スキャンを行なって収集されたデータに基づき、連続的にしかもリアルタイムで画像を再構成してこの画像を表示する１つの方法として、複数の再構成ユニットを利用する方法がある。・・・再構成ユニットが必要であり、装置がコスト高になってしまう。
【０００６】一方、１つの再構成ユニットで連続回転スキャンを行なってリアルタイムで画像を表示する方法も知られている。
・・・
【０００８】次に図１０（ｄ）に示すように２Δα°から（３６０＋Δα）°における画像Ｃは、画像ＢからΔα°における投影データをマイナスにして逆投影し、得られたものに（３６０＋Δα）°における投影データを逆投影し逆投影データを加算することにより作成される。」
　
「【００１０】
【課題を解決するための手段】本発明は上記の課題を解決し目的を達成する為に次のような手段を講じた。本発明は、・・・部分画像を減算して得た各部分画像に、加算することで１枚の画像を作成する再構成手段とを備えたことを特徴とする。
【００１１】
【作用】このような構成において、・・・部分画像を減算するのみでよいから、画像再構成のための演算時間を大幅に短縮でき、また画像が所定の回転角度ごとにリアルタイムで表示できる。」
　
周知例２（特開平５−８４２３６号公報）
「【０００５】
【課題を解決するための手段】この発明によると、ＣＴスキャンの開始及び終了を指示する手段と、ＣＴスキャン開始に応答して被検体のＣＴスキャンを自動的に繰り返し実行し、ＣＴスキャン終了に応答してＣＴスキャンを終了するＣＴスキャナ手段と、前記ＣＴスキャナ手段による繰り返しＣＴスキャンにより順次得られるＣＴ画像データを逐次表示する表示手段とにより構成されるＣＴ装置が提供される。」
「【００１３】・・・このスキャンサイクルにおいて、寝台１２が前進方向に移動され、この時のＣＴ画像を観察しているときに、通過してしまった位置のＣＴ画像を再度観察したい場合、寝台移動（ー）スイッチ２３がオンにされると、寝台１２は後退し、通過したスライス位置において被検体が再度、Ｘ線ＣＴスキャンされ、そのＣＴ画像が観察できる。」
　
周知例３（特開平４−３０３４３１号公報）
「【００１０】従って、演算器７において第２メモリ６の記録内容から第１メモリ５の記録内容を差分するごとに、１回転前に最初に得られたプロジェクションデータが減じられ、同時に１回転前に最後に得られたプロジェクションデータの後に新たなプロジェクションデータを加えた１回転分のすべてのプロジェクションデータが繰り返し出力される。
【００１１】その結果、画像再構成部８において、図２の模式図に示す関係で、ＣＴ装置２の回転数（１〜６）に同期して先頭画像Ｐ１　から最終画像Ｐｎ　まで１プロジェクション毎に変化されたＣＴ像が連続的に再構成されることになる。」
「【００１３】このように本発明の実施例によれば、１枚のＣＴ像を得るための画像再構成時間を従来に比較して大幅に短縮することができ、また時系列で変化された多数枚のＣＴ像を連続的に再構成することができる。よって、画像メモリ１０にディスプレイポート（不図示）を設けると、表示器１１上に同一スライスでの造影剤の動きがわかる動画表示をリアルタイムで行うことも可能となる。これにともない本実施例によると従来と比較して大幅にＣＴ装置でのスループットが向上され、また動画表示のために従来必要とされていた大容量の磁気ディスク等の大容量メモリが不要となる。」
　
　これらの周知例においてはＣＴスキャン時に再構成された断層像を連続的にリアルタイム表示しているから、その再構成手段は「投影データに基づいて、１枚の断層像を再構成するのに必要な範囲の前記造影後スキャン時間と同じ又は短時間で前記所定スライス位置の断層像を再構成し、これを繰り返して造影後の断層像を各々対応するスキャンから一定時間後に連続的に得る再構成手段」であることは明らかであり、周知例におけるこのような再構成手段を刊行物１の再構成手段として適用することに困難はないから、相違点１に係る本件発明の構成を得ることは当業者が容易になしえたことである。
　そして、明細書に記載された本件発明の作用効果は、刊行物１、２に記載された事項および周知例に記載された事項から当業者が容易に予測しうるものであって格別のものとは認められない。
　
［５］むすび
　以上の検討によれば、本件請求項１に係る発明は、刊行物１、刊行物２に記載された発明および周知技術に基いて当業者が容易に発明をすることができたものと認められ、特許法第２９条２項の規定により特許を受けることができず、他の請求項に係る発明について検討するまでもなく、この出願は拒絶されるべきである。
　よって、結論のとおり審決する。